(57)【要約】【課題】  ろ過槽を円筒形状から横断面矩形状に代えることによって小型化を図る。【解決手段】  横断面矩形状の筒部と筒部に連接し下部に開口部を有する逆切妻形状の下部部材とを備え、ろ床を形成するろ過砂を収容するろ過槽と、ろ過槽の筒部に取り付けられる原水導入管と、ろ過槽の下部部材内に支持されるとともに両端部が下部部材の短辺方向に対向する内壁面に当接される切妻形状の拡散傘と、拡散傘を貫通して該拡散傘に固定されるガイドパイプ内に抜差可能に配されるエアリフト管と、ガイドパイプ内に配されエアチャンバと圧縮空気の供給源とを連絡するエア供給管と、ガイドパイプの外側部に配されエアリフト管から排出されるろ過砂を分散する洗浄管と、エアリフト管の吐出口側を配置される排水トラフと、排水トラフに取り付けられ洗浄排水排出管と、ろ過槽の上部開口部側に設けた処理水溢流堰および過水導出管とを備えた。【選択図】    図１
2005262045.tif 000002
【特許請求の範囲】
【請求項１】
横断面矩形状の筒部と前記筒部に連接し下部に開口部を有する逆切妻形状の下部部材とを備え、ろ床を形成するろ過砂を収容するろ過槽と、
前記ろ過槽の筒部に取り付けられ該ろ過槽内に原水を供給する原水導入管と、
前記ろ過槽の下部部材内に支持されるとともに両端部が前記下部部材の短辺方向に対向する内壁面に当接される切妻形状の拡散傘と、
前記拡散傘を貫通して該拡散傘に固定されるガイドパイプ内に抜差可能に配され下端に前記ろ床の下層部に位置する吸込口を有するとともに前記吸込口より上部にエアチャンバを備えたエアリフト管と、
前記ガイドパイプ内に配され前記エアチャンバと圧縮空気の供給源とを連絡するエア供給管と、
前記ガイドパイプの外側部に配され前記エアリフト管から排出されるろ過砂を分散する洗浄管と、
前記エアリフト管の吐出口側を配置する収容部と洗浄排水の排水部とを有し、前記ろ過槽の上部開口部に取り付けられる排水トラフと、
前記排水部に取り付けられ洗浄排水を排出する洗浄排水排出管と、
前記ろ過槽の上部開口部側に設けた処理水溢流堰と、
前記堰に連絡するろ過水導出管と
を備えたことを特徴とする移動床式砂ろ過装置。
【請求項２】
横断面矩形状の筒部と前記筒部に連接し下部に開口部を有する逆切妻形状の下部部材とを備え、ろ床を形成するろ過砂を収容するろ過槽と、
前記ろ過槽の筒部に取り付けられ該ろ過槽内に原水を供給する原水導入管と、
前記ろ過槽の下部部材内に支持されるとともに両端部が前記下部部材の短辺方向に対向する内壁面に固定される切妻形状の拡散傘と、
前記拡散傘を貫通する筒部に貫入して該拡散傘に固定されるガイドパイプ内に抜差可能に配され下端に前記ろ床の下層部に位置する吸込口を有するとともに前記吸込口より上部にエアチャンバを備えたエアリフト管と、
前記ガイドパイプ内に配され前記エアチャンバと圧縮空気の供給源とを連絡するエア供給管と、
前記ガイドパイプの外側部に配され前記エアリフト管から排出されるろ過砂を分散する洗浄管と、
前記エアリフト管の吐出口側を配置する収容部と洗浄排水の排水部とを有し、前記ろ過槽の上部開口部に取り付けられる排水トラフと、
前記排水部に取り付けられ洗浄排水を排出する洗浄排水排出管と、
前記ろ過槽の上部開口部側に設けた処理水溢流堰と、
前記堰に連絡するろ過水導出管と
を備えたことを特徴とする移動床式砂ろ過装置。
【請求項３】
請求項１または請求項２記載の移動床式砂ろ過装置において、
前記原水導入管は、前記拡散傘の上部において該拡散傘の２つの斜面とそれぞれ平行して前記筒部内に位置する原水入口部と、前記原水入口部の先端から前記ろ過槽の上部開口部に向かって立ち上がる曲部と、前記曲部の開口部側に設けた原水散水傘とで構成されている
ことを特徴とする移動床式砂ろ過装置。
【請求項４】
請求項１記載の移動床式砂ろ過装置において、
前記拡散傘は、切妻形状を為す２つの傾斜板と、前記２つの傾斜板の両端部内に取り付けた三角形状の２つの側板とを備え、三角形状を為す２つの補助傾斜板を前記２つの傾斜板の両端部上に取り付け、前記ろ過槽の対向する内壁面と前記２つの傾斜板との間に形成される隙間を塞ぎ、前記ろ床を形成するろ過砂が前記隙間から流下しないように構成されている
ことを特徴とする移動床式砂ろ過装置。
【請求項５】
請求項１または請求項２記載の移動床式砂ろ過装置において、
前記エアリフト管は、前記ガイドパイプの上端部に着脱自在に係止されるキャップに固定され、
前記エア供給管は、前記キャップを貫通して前記圧縮空気の供給源と連絡し、
前記キャップには、前記ろ過槽の外へ通じる通気管と、前記エアリフト管を挟んで対向配置したエアリフト管引き上げ用の２つのボルトとが取り付けられている
ことを特徴とする移動床式砂ろ過装置。
【請求項６】
請求項５記載の移動床式砂ろ過装置における前記エアリフト管の抜き差し方法において、
前記エアリフト管と前記通気管とを把持して上方に引き上げることによって前記エアリフト管を抜き差しする
ことを特徴とするエアリフト管の抜き差し方法。
【請求項７】
請求項６記載のエアリフト管の抜き差し方法において、
前記ガイドパイプと前記エアチャンバとの間に前記ろ過砂が詰まった時に、
前記エアリフト管と前記通気管とを把持して前記エアリフト管を回転して前記ろ過砂を振り落とす
ことを特徴とするエアリフト管の抜き差し方法。
【請求項８】
請求項５記載の移動床式砂ろ過装置における前記エアリフト管の抜き差し方法において、
前記エアリフト管引き上げ用の２つのボルトの頭部と前記キャップとの間に載置される板部材に、操作部材を取り付けて成るエアリフト取り外し金具を用意し、
前記エアリフト取り外し金具の前記板部材を、前記キャップ上に配した後、前記操作部材を回転し前記エアリフト管引き上げ用の２つのボルトの頭部と前記キャップとの間に板部材を載置し、前記操作部材を上方に引き上げることによって前記エアリフト管を抜き差しする
ことを特徴とするエアリフト管の抜き差し方法。
【発明の詳細な説明】
【技術分野】
【０００１】
本発明は、移動床式砂ろ過装置およびそのエアリフト管の抜き差し方法に関する。
【背景技術】
【０００２】
従来、移動床式砂ろ過装置としては、円筒形状のタンク内にろ床を形成するろ過砂を収容し、原水をろ床下部から連続的に供給し、砂ろ過を行いながら同時に汚れたろ過砂をエアリフト管で連続的に洗浄を行い、連続運転できるものが知られている（例えば、特許文献１，２，３，４参照）。
【特許文献１】特公昭５６−５１８０８号公報
【特許文献２】実開昭６２−５９１１１号公報
【特許文献３】特開平１０−７１３０５号公報
【特許文献４】特開２００１−１６２１０９号公報
【発明の開示】
【発明が解決しようとする課題】
【０００３】
しかし、従来の移動床式砂ろ過装置では、円筒形状のタンクによってろ過槽を形成するので、装置の周囲にデッドスペースが発生するという問題があった。
また、装置を小型化する場合、原水取込、分散傘、排水トラフなどがろ過槽に対応して円筒形状、円錐形状に形成されているため、小型化する上での制約があった。
特に、排水トラフを円筒形にすると、従来型の直径より狭い本体は製作できないという問題がある上に、工具の入らない狭いトラフでは、エアリフト管を容易に取り外せないという問題があった。
【０００４】
さらに、従来の移動床式砂ろ過装置では、仮に小型化が可能となっても、デッドスペースを無くすことはできなかった。
本発明は、斯かる従来の問題点を解決するために為されたもので、その目的は、ろ過槽を円筒形状から横断面矩形状に代えることによって小型化を可能とした移動床式砂ろ過装置を提供することにある。
【０００５】
また、本発明の別の目的は、小型化を可能とした移動床式砂ろ過装置におけるエアリフト管の抜き差し方法を提供することにある。
【課題を解決するための手段】
【０００６】
請求項１に係る発明は、横断面矩形状の筒部と前記筒部に連接し下部に開口部を有する逆切妻形状の下部部材とを備え、ろ床を形成するろ過砂を収容するろ過槽と、前記ろ過槽の筒部に取り付けられ該ろ過槽内に原水を供給する原水導入管と、前記ろ過槽の下部部材内に支持されるとともに両端部が前記下部部材の短辺方向に対向する内壁面に当接される切妻形状の拡散傘と、前記拡散傘を貫通して該拡散傘に固定されるガイドパイプ内に抜差可能に配され下端に前記ろ床の下層部に位置する吸込口を有するとともに前記吸込口より上部にエアチャンバを備えたエアリフト管と、前記ガイドパイプ内に配され前記エアチャンバと圧縮空気の供給源とを連絡するエア供給管と、前記ガイドパイプの外側部に配され前記エアリフト管から排出されるろ過砂を分散する洗浄管と、前記エアリフト管の吐出口側を配置する収容部と洗浄排水の排水部とを有し、前記ろ過槽の上部開口部に取り付けられる排水トラフと、前記排水部に取り付けられ洗浄排水を排出する洗浄排水排出管と、前記ろ過槽の上部開口部側に設けた処理水溢流堰と、前記堰に連絡するろ過水導出管とを備えたことを特徴とする。
【０００７】
請求項２に係る発明は、横断面矩形状の筒部と前記筒部に連接し下部に開口部を有する逆切妻形状の下部部材とを備え、ろ床を形成するろ過砂を収容するろ過槽と、前記ろ過槽の筒部に取り付けられ該ろ過槽内に原水を供給する原水導入管と、前記ろ過槽の下部部材内に支持されるとともに両端部が前記下部部材の短辺方向に対向する内壁面に固定される切妻形状の拡散傘と、前記拡散傘を貫通する筒部に貫入して該拡散傘に固定されるガイドパイプ内に抜差可能に配され下端に前記ろ床の下層部に位置する吸込口を有するとともに前記吸込口より上部にエアチャンバを備えたエアリフト管と、前記ガイドパイプ内に配され前記エアチャンバと圧縮空気の供給源とを連絡するエア供給管と、前記ガイドパイプの外側部に配され前記エアリフト管から排出されるろ過砂を分散する洗浄管と、前記エアリフト管の吐出口側を配置する収容部と洗浄排水の排水部とを有し、前記ろ過槽の上部開口部に取り付けられる排水トラフと、前記排水部に取り付けられ洗浄排水を排出する洗浄排水排出管と、前記ろ過槽の上部開口部側に設けた処理水溢流堰と、前記堰に連絡するろ過水導出管とを備えたことを特徴とする。
【０００８】
請求項３に係る発明は、請求項１または請求項２記載の移動床式砂ろ過装置において、前記原水導入管は、前記拡散傘の上部において該拡散傘の２つの斜面とそれぞれ平行して前記筒部内に位置する原水入口部と、前記原水入口部の先端から前記ろ過槽の上部開口部に向かって立ち上がる曲部と、前記曲部の開口部側に設けた原水散水傘とで構成されていることを特徴とする。
【０００９】
請求項４に係る発明は、請求項１記載の移動床式砂ろ過装置において、前記拡散傘は、切妻形状を為す２つの傾斜板と、前記２つの傾斜板の両端部内に取り付けた三角形状の２つの側板とを備え、三角形状を為す２つの補助傾斜板を前記２つの傾斜板の両端部上に取り付け、前記ろ過槽の対向する内壁面と前記２つの傾斜板との間に形成される隙間を塞ぎ、前記ろ床を形成するろ過砂が前記隙間から流下しないように構成されていることを特徴とする。
【００１０】
請求項５に係る発明は、請求項１または請求項２記載の移動床式砂ろ過装置において、前記エアリフト管は、前記ガイドパイプの上端部に着脱自在に係止されるキャップに固定され、前記エア供給管は、前記キャップを貫通して前記圧縮空気の供給源と連絡し、前記キャップには、前記ろ過槽の外へ通じる通気管と、前記エアリフト管を挟んで対向配置したエアリフト管引き上げ用の２つのボルトとが取り付けられていることを特徴とする。
【００１１】
請求項６に係る発明は、請求項５記載の移動床式砂ろ過装置における前記エアリフト管の抜き差し方法において、前記エアリフト管と前記通気管とを把持して上方に引き上げることによって前記エアリフト管を抜き差しすることを特徴とする。
請求項７に係る発明は、請求項６記載のエアリフト管の抜き差し方法において、前記ガイドパイプと前記エアチャンバとの間に前記ろ過砂が詰まった時に、前記エアリフト管と前記通気管とを把持して前記エアリフト管を回転して前記ろ過砂を振り落とすことを特徴とする。
【００１２】
請求項８に係る発明は、請求項５記載の移動床式砂ろ過装置における前記エアリフト管の抜き差し方法において、前記エアリフト管引き上げ用の２つのボルトの頭部と前記キャップとの間に載置される板部材に、操作部材を取り付けて成るエアリフト取り外し金具を用意し、前記エアリフト取り外し金具の前記板部材を、前記キャップ上に配した後、前記操作部材を回転し前記エアリフト管引き上げ用の２つのボルトの頭部と前記キャップとの間に板部材を載置し、前記操作部材を上方に引き上げることによって前記エアリフト管を抜き差しすることを特徴とする。
【発明の効果】
【００１３】
本発明によれば、標準円筒状を為すろ過槽を断面矩形状を為すろ過槽に変更することにより、移動床式砂ろ過装置の小型化を達成することができる。また、原水流入管の配置と接続方法とを変更することにより、滑らかな砂移動を確保できる。また、拡散傘に隙間塞ぎ部材を追加することにより、安定した洗浄機構を確保できる。また、エアリフト管をガイドパイプに対し着脱可能とするとともに小さくなった排水トラフからの抜き差しが容易にできる。
【発明を実施するための最良の形態】
【００１４】
以下、本発明を図面に示す実施形態に基づいて説明する。
図１ないし図１３は、本発明の一実施形態に係る移動床式砂ろ過装置を示す（請求項１、３，４，５に対応する）。
本実施形態に係る移動床式砂ろ過装置１は、横断面矩形状の筒部１１とこの筒部１１に連接し下部に開口部１２ｅを有する逆切妻形状の下部部材１２とを備え、ろ床Ｆを形成するろ過砂Ｓを収容する金属製のろ過槽１０を有する。筒部１１には、後述する洗浄水排出管１３と、ろ過水導出管１４と、原水導入管１５を取り付けるための開口部１１ａと、処理水溢流堰１６とが設けてある。また、開口部１２ｅには、水抜き、砂抜き出し用のドレン１９が設けてある。また、下部部材１２には、対向する斜面１２ａ，１２ｂに後述する切妻形状の拡散傘２０を支持する支持脚１７ａ，１７ｂが立設してある。支持脚１７ａ，１７ｂには、それぞれ拡散傘２０の端部を受け止めるために、先端部にＬ字状の受け部１７ｃ，１７ｄが形成されている。また、下部部材１２の対向する長辺側の壁面１２ｃ，１２ｄには、同様に、切妻形状の拡散傘２０を支持する支持脚１８ａ，１８ｂが対向して設けてある。支持脚１８ａ，１８ｂには、それぞれ切妻形状の拡散傘２０の端部を受け止めるために、先端部にＬ字状の受け部１８ｃ，１８ｄが形成されている。
【００１５】
切妻形状の拡散傘２０は、図２〜図６に示すように、切妻形状を為す２つの傾斜板２１ａ，２１ｂと、２つの傾斜板２１ａ，２１ｂの両端部内に取り付けた三角形状の２つの側板２２ａ，２２ｂとを溶接によって固定している。切妻形状の拡散傘２０には、三角形状を為す２つの補助傾斜板２３ａ，２３ｂを２つの傾斜板２１ａ，２１ｂの両端部上に取り付け、図６に示すように、ろ過槽１０の対向する内壁面１２ｃ，１２ｄと２つの傾斜板２１ａ，２１ｂとの間に形成される隙間を塞ぎ、ろ床を形成するろ過砂が隙間から流下しないように構成されている。三角形状を為す２つの補助傾斜板２３ａ，２３ｂには、切妻形状の拡散傘２０の傾斜板２１ａ，２１ｂに沿って切妻形状の拡散傘２０の中心方向への移動を阻止するストッパー２３ｃが頂部側に溶接により固定されている。また、図５に示すように、三角形状を為す２つの補助傾斜板２３ａ，２３ｂのそれぞれについて、一方の下端部には、蝶番２３ｄを介して連結部材２３ｅが取り付けられている。連結部材２３ｅには、他方の下端部に取り付けた突起２３ｇに係止する穴２３ｆが設けてある。連結部材２３ｅは、下部部材１２の対向する長辺側の壁面１２ｃ，１２ｄに設けた支持脚１８ａ，１８ｂの下方側から渡されて穴２３ｆを突起２３ｇに係止することによって張り渡される。切妻形状の拡散傘２０の中央部には、後述するエアリフト管２５のガイドパイプ２６を挿通し、溶接によりガイドパイプ２６を固定する貫通穴２４が設けてある。
【００１６】
エアリフト管２５は、図２〜図８に示すように、切妻形状の拡散傘２０に固定されたガイドパイプ２６内にエア供給管３１とともに抜差可能に配され、下端にろ床Ｆの下層部に位置する吸込口２５ａを有するとともに吸込口２５ａより上部にエアチャンバ２７を備えている。エアリフト管２５は、ガイドパイプ２６の上端部に着脱自在に係止されるキャップ２８に固定されている。エア供給管３１は、キャップ２８を貫通してエアリフト管２５に沿って配され、エアチャンバ２７と圧縮空気の供給源と連絡している。キャップ２８には、ろ過槽１０の外へ通じる通気管２９と、エアリフト管２５を挟んで対向配置したエアリフト管引き上げ用の２つのボルト３０とが取り付けられている。
【００１７】
エアリフト管２５の吐出口２５ｂ側には、図２，図８に示すように、排水トラフ３２の収容部３３に配置されている。排水トラフ３２は、その収容部３３と洗浄排水の排水部３４とを有し、ろ過槽１０の上部開口部１０ａにＬ型金物３５を介して取り付けられている。洗浄排水の排水部３４には、定法に従って水位調整器３４ａが設けられている。洗浄排水の排水部３４には、洗浄水排出管１３が取り付けられている。
【００１８】
排水トラフ３２の収容部３３には、エアリフト管２５のガイドパイプ２６の周囲を取り囲むようにエアリフト管２５の吐出口２５ｂから排出されるろ過砂Ｓを分散する排水洗浄管３６が配置されている。
原水導入管１５は、図１，図２，図９，図１０に示すように、切妻形状の拡散傘２０の上部においてろ過槽１０内に原水を導入できるように、筒部１１に設けた矩形状の開口部１１ａに取り付けられる。原水導入管１５は、切妻形状の拡散傘２０の上部において２つの傾斜板２１ａ，２１ｂとそれぞれ平行して筒部１１内に位置する原水入口部１５ａ，１５ａと、原水入口部１５ａ，１５ａの先端からろ過槽１０の上部開口部１０ａに向かって立ち上がる曲部１５ｂ，１５ｂと、曲部１５ｂ，１５ｂの開口部側に設けた原水散水傘１５ｃ，１５ｃとで構成され、筒部１１に設けた矩形状の開口部１１ａに取り付けられるメクラ板１５ｄに、原水入口部１５ａ，１５ａを取り付け、原水入口部１５ａ，１５ａに原水入口ヘッダー管１５ｅを取り付けている。そして、開口部１１ａへの取付は、運転水位での水漏れ防止、ろ過砂Ｓの移動に支障を与える突起物がろ過槽側にできないことを条件として、フランジ接合としてある。
【００１９】
次に、斯くして構成される本実施形態の作用を説明する。
先ず、図１１に示すように、ろ過槽１０内にろ床Ｆを形成するろ過砂Ｓを収容する。
次に、エア供給管３１と圧縮空気の供給源と連絡し、原水導入管１５から原水を導入する。
原水は、ろ床Ｆを上昇しながらＳＳなどが除かれ、清澄ろ過水となって、処理水溢流堰１６をオーバーフローしてろ過水導出管１４を介してろ過水として導出される。
【００２０】
エアリフト管２５のエアチャンバ２７に供給された圧縮空気により、ろ過して汚濁物質を捕捉したろ過砂Ｓをエアリフト管２５の下端部の開口から吸引し、エアリフト管２５内をろ過砂Ｓと水、空気が異なる速度で上昇し、ろ過砂ＳがもまれてＳＳなどが剥離し、剥離したＳＳなどとろ過砂Ｓおよび洗浄水はエアリフト管２５の管端から排水トラフ３２の収容部３３に排出される。洗浄水と剥離したＳＳなどは、排水洗浄管３６内を上昇する一部のろ過水の働きで排水トラフ３２に止まり、ろ過砂Ｓだけは排水洗浄管３６を介してろ床Ｆに戻される。排水トラフ３２においては、定法に従って調整された水位の洗浄排水の排水部３４から洗浄水排出管１３を介して剥離したＳＳなどが排出される。
【００２１】
以上のように、本実施形態に係る移動床式砂ろ過装置１では、従来の移動床式砂ろ過装置と同様に、砂ろ過を行いながら同時に汚れたろ過砂Ｓの洗浄を行うことができる。
そして、本実施形態に係る移動床式砂ろ過装置１によれば、切妻形状の拡散傘２０の両側に三角形状を為す２つの補助傾斜板２３ａ，２３ｂを取り付けているので、ろ過槽１０の対向する内壁面１２ｃ，１２ｄと２つの側板２２ａ，２２ｂとの間に形成される隙間が、三角形状を為す２つの補助傾斜板２３ａ，２３ｂによって塞がれ、ろ床Ｆを形成するろ過砂Ｓが隙間から流下することがない。従って、図１１に示すように、ろ過砂Ｓは、ろ過槽１０の下部部材１１の２つの斜面１２ａ，１２ｂに沿って底部側へ移動し、エアリフト管２５の吸込口周辺のろ過砂Ｓを圧迫することがない。これに対し、図１２に示すように、ろ過槽１０の対向する内壁面１２ｃ，１２ｄと２つの側板２２ａ，２２ｂとの間に隙間が形成されると、隙間からろ過砂Ｓが短絡して移動し、エアリフト管２５の吸込口周辺のろ過砂Ｓを圧迫することとなり、連続的にろ過砂Ｓを吸い上げることができなくなる。
【００２２】
また、本実施形態に係る移動床式砂ろ過装置１によれば、キャップ２８を介してガイドパイプ２６に載置されているので、運転時にガイドパイプ２６とエアチャンバ２７との間に２，３粒程度のろ過砂Ｓが噛み込んだ場合、エア吸気管３１と通気管９とを作業者が手で握り何れかの方向に回転することによって、エアリフト管２５が回転し噛み込まれた２，３粒程度のろ過砂Ｓを振るい落とすことができる（請求項７に対応する。）。
【００２３】
また、エアリフト管２５は、同様に、エア吸気管３１と通気管２９とを作業者が手で握り真っ直ぐ引き上げることができる（請求項６に対応する。）。
また、本実施形態に係る移動床式砂ろ過装置１によれば、図１３〜図１６に示すように、エアリフト管引き上げ用の２つのボルト３０，３０の頭部とキャップ２８との間に載置される板部材４１に、操作部材４２を取り付けて成るエアリフト取り外し金具４０を用意し、エアリフト取り外し金具４０の板部材４１を、キャップ２８上に配した後、操作部材４２を回転しエアリフト管引き上げ用の２つのボルト３０，３０の頭部とキャップ２８との間に板部材４１を載置し、操作部材４２を上方に引き上げることによってエアリフト管２５を抜き出すことができる（請求項８に対応する。）。
【００２４】
ここで、板部材４１は、エアリフト管引き上げ用の２つのボルト３０，３０の軸部を嵌入させることができる凹部４１ａを両側部にそれぞれ２個ずつ設けている。また、操作部材４２は、排水トラフ３２の収容部３３に位置するエアリフト管２５の上部側に位置するキャップ２８に対して回転操作ができるように金属製のパイプ部材をＨ型に組み付けるとともに上部にハンドル用のパイプ部材を取り付けることによって構成されている。
【００２５】
また、本実施形態に係る移動床式砂ろ過装置１においては、原水流入管１５を立ち上げると、ろ過砂Ｓの移動に大きな支障を与えるため、最も支障のない水平貫通構造を採用した。また、原水流入管１５をろ過槽１０に直接溶接止めすると、下方に位置する切妻形状の拡散傘２０の着脱ができなくなる。その不具合を解消するためにも、原水流入管１５を外部から着脱できる方式としてある。
【００２６】
以上のように、本実施形態に係る移動床式砂ろ過装置１によれば、切妻形状の拡散傘２０にガイドパイプ２６を介してエアリフト管２５を一体化し、ろ過槽１０の下部部材１１に４つの支持部材１７ａ，１７ｂ，１８ａ，１８ｂを設けてあるので、エアリフト管２５が垂直に保持できる。また、エアリフト管２５とエア供給管３１の異常時にろ過砂Ｓ、水を抜かずにメンテナンスができる。切妻形状の拡散傘２０の両側に三角形状を為す２つの補助傾斜板２３ａ，２３ｂを取り付け、ろ過槽１０の対向する内壁面１２ｃ，１２ｄと２つの側板２２ａ，２２ｂとの間に形成される隙間を塞いであるので、ろ過砂Ｓの滑らかな移動を保つことができる。
【００２７】
なお、上記実施形態において、切妻形状の拡散傘２０にガイドパイプ２６を介してエアリフト管２５を一体化した場合について説明したが、本発明はこれに限らず、図１７〜図１９に示すように、切妻形状の拡散傘２０をろ過槽１０内に固定し、エアリフト管２５を切妻形状の拡散傘２０に挿抜自在としても良い（請求項２に対応する。）。この場合には、切妻形状の拡散傘２０にガイドパイプ挿入用の短管５０を予め固定し、ガイドパイプ２６の所定の高さに鍔５１を溶接し、その鍔５１を短管５０に載せることによってガイドパイプ２６を支持する。鍔５１と短管５０との隙間にろ過砂Ｓが噛み込んだり、落ち込んだりしないように、短管５０の頭を十分に覆い尽くすように、鍔５１の下にも短管状の覆い５２を設ける。
【００２８】
これにより、ガイドパイプ２６と切妻形状の拡散傘２０との縁が切れるので、切妻形状の拡散傘２０をろ過槽１０に直接溶接止めすることが可能となる。従って、隙間塞ぎ部材の後付けが不要となる。
この場合にも、上記実施形態と同様の作用効果を得ることができる。
【図面の簡単な説明】
【００２９】
【図１】本発明の一実施形態に係る移動床式砂ろ過装置を示す斜視図である。
【図２】図１の移動床式砂ろ過装置の断面図である。
【図３】図１における切妻形状の拡散傘の据え付け状態を示す斜視図である。
【図４】図１における切妻形状の拡散傘の据え付け状態を示す斜視図である。
【図５】図１における切妻形状の拡散傘に三角形状を為す補助傾斜板を取り付けた状態を示す説明図である。
【図６】図１における切妻形状の拡散傘の据え付け状態を示す平面図である。
【図７】図１におけるエアリフト管とガイドパイプとの関係を示す斜視図である。
【図８】図１における排水トラフとエアリフト管および洗浄排水管との関係を示す斜視図である。
【図９】図１における原水流入管の取り付けを示す断面図である。
【図１０】図１における原水流入管の取り付けを示す正面図である。
【図１１】図１における切妻形状の拡散傘近傍におけるろ過砂の移動状況を示す正面から見た説明図である。
【図１２】図１における補助傾斜板のない場合の切妻形状の拡散傘近傍におけるろ過砂の移動状況を示す側面から見た説明図である。
【図１３】図１におけるエアリフト管の抜き出しを行う工具を示す正面図である。
【図１４】図１３の工具の断面図である。
【図１５】図１３の工具を用いたエアリフト管の抜き出しを行う工程を示す説明図である。
【図１６】図１３の工具を用いたエアリフト管の抜き出しを行う工程を示す説明図である。
【図１７】本発明の別の実施形態に係る移動床式砂ろ過装置の要部を示す斜視図である。
【図１８】図１７の断面図である。
【図１９】図１７の平面図である。
【符号の説明】
【００３０】
１  移動床式砂ろ過装置
１０  ろ過槽
１１  筒部
１２  逆切妻形状の下部部材
１３  洗浄水排出管
１４  ろ過水導出管
１５  原水導入管
１６  処理水溢流堰
１７ａ，１７ｂ，１８ａ，１８ｂ  支持脚
２０  切妻形状の拡散傘
２１ａ，２１ｂ  傾斜板
２２ａ，２２ｂ  側板
２３ａ，２３ｂ  三角形状を為す補助傾斜板
２５  エアリフト管
２６  ガイドパイプ
２７  エアチャンバ
２８  キャップ
２９  通気管
３０  ボルト
３１  エア供給管
３２  排水トラフ
３３  収容部
３４  排水部
３６  排水洗浄管
４０  エアリフト取り外し金具
４１  板部材
４２  操作部材
５０  短管
５１  鍔
５２  覆い
【図１】
2005262045.tif 000003
【図２】
2005262045.tif 000004
【図３】
2005262045.tif 000005
【図４】
2005262045.tif 000006
【図５】
2005262045.tif 000007
【図６】
2005262045.tif 000008
【図７】
2005262045.tif 000009
【図８】
2005262045.tif 000010
【図９】
2005262045.tif 000011
【図１０】
2005262045.tif 000012
【図１１】
2005262045.tif 000013
【図１２】
2005262045.tif 000014
【図１３】
2005262045.tif 000015
【図１４】
2005262045.tif 000016
【図１５】
2005262045.tif 000017
【図１６】
2005262045.tif 000018
【図１７】
2005262045.tif 000019
【図１８】
2005262045.tif 000020
【図１９】
2005262045.tif 000021